(57)【要約】【課題】室内を気密状態にすることで従来とは異なるメカニズムの空気調和方法を採用可能にし、これにより乾式除湿機等を不要にし、ひいては装置の導入にかかるコストの低減を図るようにする気密室内の空気調和方法及び気密室構造体を提供する。【解決手段】気密室構造体Ｍ１は、気密状態にできる気密室４０と、空気調和装置を構成する冷凍機１０を備えている。気密室４０は空気調整室３０と空気循環室４１に区切られており、更に空気調整室３０は、除湿制御室３１と冷却制御室３２に区画されている。除湿制御室３１には蒸発器１５が、冷却制御室３２には蒸発器１６が配置されている。蒸発器１５では空気循環室４１側の空気が熱交換されて、空気中に含まれる水蒸気が蒸発器１５の表面に水（液体）または氷（固体）の状態で付着する。【選択図】　　　　図１
2004036915.tif 000002
【特許請求の範囲】
【請求項１】
気密室内の空気調和方法であって、
蒸発器を備える空気調和機を運転させて、気密室内の空気の温度を蒸発器による熱交換によって調整すると共に、当該気密室内の空気中の水蒸気を上記蒸発器に水または氷の状態で付着させ、当該水または氷の付着量を調整することによって気密室内の湿度を調整することを特徴とする、
気密室内の空気調和方法。
【請求項２】
蒸発器への水または氷の付着量は、当該蒸発器の外側を流通する水蒸気を含む空気の風速または風量の制御、または／及び上記蒸発器の内側を流通する冷媒ガスの流量の制御によって調整することを特徴とする、
請求項１記載の気密室内の空気調和方法。
【請求項３】
気密性を有する気密室（４０）と、
上記気密室（４０）内に設けてあり、当該気密室（４０）内の空気の温度を熱交換によって調整し、かつ上記気密室（４０）内の空気中の水蒸気を水または氷の状態で付着させることができる蒸発器と、
上記蒸発器への水または氷の付着量を調整することのできる制御手段と、
を備えていることを特徴とする、
空気調和装置を備えた気密室構造体。
【請求項４】
気密性を有する気密室（４０）を備え、当該気密室（４０）は相互に空気の流通が可能な空気調整室（３０）と空気循環室（４１）に区切られており、
上記空気調整室（３０）には、
上記気密室（４０）内の空気中の水蒸気を水または氷の状態で付着させることができる第１の蒸発器（１５）を備える除湿制御室（３１）と、
上記気密室（４０）内の空気の温度を熱交換によって調整できる第２の蒸発器（１６）を備える冷却制御室（３２）と、
空気を加温する加温手段（３５）と、
上記除湿制御室（３１）と冷却制御室（３２）に空気を強制流通させる送気手段（３３）が備えてあり、
更に、上記除湿制御室（３１）内の第１の蒸発器（１５）の外側を流通する水蒸気を含む空気の風速または風量を制御、または／及び上記蒸発器（１５）の内側を流通する冷媒ガスの流量を制御して、当該蒸発器（１５）への水または氷の付着量が調整可能な制御手段を備えていることを特徴とする、
空気調和装置を備えた気密室構造体。
【発明の詳細な説明】
【０００１】
【発明の属する技術分野】
本発明は、気密室内の空気調和方法及び気密室構造体に関する。
更に詳しくは、低温低湿な環境の維持に際し、室内を気密状態にすることで、従来とは異なるメカニズムの空気調和方法を用いることができるようにし、これにより少なくとも乾式除湿機を不要にし、ひいては装置の導入にかかるコストの低減を図ることができるようにしたものに関する。また、運転にあたってのエネルギー消費量が少なくでき、日々のランニングコストが低減できるようにしたものに関する。
【０００２】
【従来技術】
例えば、半導体の製造工場、印刷工場、製麺工場、紙・電池・フィルム・種子等の保管庫や貯蔵庫、各種の試験室等では、製品の品質の維持、劣化の防止等のために、精密な温度及び湿度制御を行い、低温低湿な環境が維持できるよう要求されている。従来、このような環境は、室内の湿気を除湿する乾式除湿機と、加湿器と、空気調和機（以下、「空調機」と表記することがある）を用いたシステムによってつくられている。
【０００３】
従来の空気調和方法について説明する。
上記した場所の空気は、まず、乾式除湿機に取り込まれ、シリカゲルや塩化リチウム等を備えた除湿膜によって湿気が吸着される。湿気の吸着量は調整が困難なので、通常湿気は設定する湿度よりも余分に吸着される。そして、乾式除湿機を通過した空気は、空調機を流通して設定温度に調整され、更に加湿器により加湿されて設定湿度になるよう調整されて再び室内へ送られる。上記した場所では、このようにして低温低湿な環境が維持されている。
【０００４】
【発明が解決しようとする課題】
しかし、上記した従来の空気調和方法には、次のような課題があった。
即ち、従来の空気調和方法では、そのメカニズム上、空調機の他に少なくとも乾式除湿機と加湿器が必要であった。これらの装置は比較的高価であり、従って、装置の導入コストの低減を図ることは困難であった。
【０００５】
また、加湿器の除湿膜は繰り返し連続して使用できるように、吸着した湿気を熱風を当てて脱水するようになっている。この際、湿気を含んだ熱風は外部に排出されるが、この熱風は温度が高いために乾式除湿機内に余熱が溜まっており、この余熱によって空調機に送られる空気も加熱されてしまっていた。従って、空調機では、温度の高くなった空気を冷却しなければならず、多くのエネルギーを消費していた。通常、上記のような場所は、低温低湿の環境を常時維持しなければならないので、毎日のランニングコストも多大なものになる。また、空調機自体も能力の大きなものが必要である。
【０００６】
本発明者は、空調機に関する研究を行っており、上記した低温低湿な室内環境を維持する手段が抱える課題を解決することができないものか模索していた。そして本発明者は、気密状態にある空間であれば、その中の空気に含まれる水分量は一定であることに着目し、空気中の水蒸気を空調機が備える蒸発器に、状態を変化させて、即ち水（液体）や氷（固体）の状態で付着させたり、付着させたものを水蒸気（気体）に戻して再び室内に放出したりすることで、室内の水分量が調節でき、湿度を制御することができることを知見した。
本発明は、この知見に基づくものである。
【０００７】
（本発明の目的）
本発明の目的は、低温低湿な環境の維持に際し、室内を気密状態にすることで、従来とは異なるメカニズムの空気調和方法を用いることができるようにし、これにより少なくとも乾式除湿機を不要にし、ひいては装置の導入にかかるコストの低減を図ることにある。
本発明の他の目的は、運転にあたってのエネルギー消費量が少なくでき、日々のランニングコストが低減できるようにすることにある。
【０００８】
【課題を解決するための手段】
上記目的を達成するために講じた本発明の手段は次のとおりである。
第１の発明にあっては、
気密室内の空気調和方法であって、
蒸発器を備える空気調和機を運転させて、気密室内の空気の温度を蒸発器による熱交換によって調整すると共に、当該気密室内の空気中の水蒸気を上記蒸発器に水または氷の状態で付着させ、当該水または氷の付着量を調整することによって気密室内の湿度を調整することを特徴とする、
気密室内の空気調和方法である。
【０００９】
第２の発明にあっては、
蒸発器への水または氷の付着量は、当該蒸発器の外側を流通する水蒸気を含む空気の風速または風量の制御、または／及び上記蒸発器の内側を流通する冷媒ガスの流量の制御によって調整することを特徴とする、
第１の発明に係る気密室内の空気調和方法である。
【００１０】
第３の発明にあっては、
気密性を有する気密室（４０）と、
上記気密室（４０）内に設けてあり、当該気密室（４０）内の空気の温度を熱交換によって調整し、かつ上記気密室（４０）内の空気中の水蒸気を水または氷の状態で付着させることができる蒸発器と、
上記蒸発器への水または氷の付着量を調整することのできる制御手段と、
を備えていることを特徴とする、
空気調和装置を備えた気密室構造体である。
【００１１】
第４の発明にあっては、
気密性を有する気密室（４０）を備え、当該気密室（４０）は相互に空気の流通が可能な空気調整室（３０）と空気循環室（４１）に区切られており、
上記空気調整室（３０）には、
上記気密室（４０）内の空気中の水蒸気を水または氷の状態で付着させることができる第１の蒸発器（１５）を備える除湿制御室（３１）と、
上記気密室（４０）内の空気の温度を熱交換によって調整できる第２の蒸発器（１６）を備える冷却制御室（３２）と、
空気を加温する加温手段（３５）と、
上記除湿制御室（３１）と冷却制御室（３２）に空気を強制流通させる送気手段（３３）が備えてあり、
更に、上記除湿制御室（３１）内の第１の蒸発器（１５）の外側を流通する水蒸気を含む空気の風速または風量を制御、または／及び上記蒸発器（１５）の内側を流通する冷媒ガスの流量を制御して、当該蒸発器（１５）への水または氷の付着量が調整可能な制御手段を備えていることを特徴とする、
空気調和装置を備えた気密室構造体である。
【００１２】
本発明で「気密」という用語は、厳密に気体を通さないことを意味するものではなく、実質的に気密（やや気体を通すこともある）という意味も含む概念として使用している。また、本明細書で「除湿」という用語は、「減湿」をも含む概念として使用している。
【００１３】
空調機は冷凍機を備えており、冷凍機には直接膨張方式（以下、直膨方式と表記することがある）とチラー方式のものがある。本発明で使用される冷凍機は、上記した直膨方式のものを使用することもできるし、チラー方式のものを使用することもできる。また、他の方式の冷凍機を使用することもできる。
【００１４】
直膨方式は、蒸発器に冷媒液を送り、冷却コイルの中で膨張気化させて冷却コイルを冷却し、通過する空気と熱交換をして冷却を行う方式である。チラー方式は、蒸発器によって水と熱交換をして冷却水を作り、この冷却水を冷却コイル等に循環させ、空気との間で熱交換をして冷却を行う方式である。
【００１５】
上記した冷凍機で、冷却と同時に除湿を行うことができることは周知である。除湿は、冷却コイル表面に空気を触れさせ、空気中の水蒸気を液化分離させることにより行われる。つまり、冷却コイルの表面温度が空気の露点温度より低くなれば結露が起こり、空気は冷却と共に除湿される。反対に、冷却コイルの表面温度が空気の露点温度より高ければ結露が起こらず、除湿もされないので、湿度を低下させることなく空気の冷却ができる。
【００１６】
上記したような空調機による冷却と除湿の制御は、蒸発器外を流通する室内空気の風速を調整したり、蒸発器内を流通する冷媒ガスの流量を調整して冷却コイルの表面温度を露点温度よりも高くしたり低くしたり、またはその双方を調整したりして行われている。
例えば冷却は、冷却コイルの表面温度を露点温度よりも高くした状態で、風速を速くし風量を多くするようにして行われる。この場合では、空気が冷却コイル表面と接触する時間が短くなり、単位風量当りの熱交換量が小さくなるので、冷却コイルの周りを流通する空気の温度はそれほど低下しない。
また、例えば除湿は、冷却コイルの表面温度を露点温度よりも低くした状態で、風速を遅くし風量を少なくするようにして行われる。この場合では、空気が冷却コイル表面と接触する時間が長くなり、単位風量当りの熱交換量は大きくなるので、冷却コイルの周りを流通する空気は、温度が低下し易く、冷却コイル表面には結露が生じる。
【００１７】
（作　用）
本発明に係る気密室内の空気調和方法及び気密室構造体によれば、気密室内の空気中に含まれる水分の量は一定で変動しない（もしくは実質的に変動しない）ので、気密室内の空気に含まれる水蒸気を空気調和機の蒸発器に水（液体）または氷（固体）の状態で付着させ、この水や氷の付着量を調整することにより、相対的に気密室内の湿度を調整することができる。つまり、蒸発器に付着する水または氷の量を多くすれば、気密室内の空気中の湿度を低下させることができ、逆に、蒸発器に付着する水または氷の量を少なくすれば、湿度を上げることができる。
【００１８】
【発明の実施の形態】
本発明の実施の形態を図面に基づき更に詳細に説明する。
図１は本発明に係る気密室構造体の第１の実施の形態を示す概略説明図である。
符号Ｍ１は気密室構造体を示している。気密室構造体Ｍ１は、気密状態にできる気密室４０と、空気調和装置を構成する冷凍機１０を備えている。気密室４０は、相互に空気の流通が可能なように空気調整室３０と空気循環室４１に区切られている。
【００１９】
冷凍機１０は、圧縮機１１、凝縮器１２、熱交換器である第１の蒸発器１５及び第２の蒸発器１６を備えている直膨方式の冷凍機である。圧縮機１１としては、ロータリー型やスクロール型、レシプロ型等、様々な方式のものが使用可能である。
【００２０】
凝縮器１２と第１の蒸発器１５及び第２の蒸発器１６の間には、凝縮器１２で液化された冷媒液を一時貯溜する冷媒液タンク１７が設けられている。冷媒液タンク１７は内部圧力が高圧になる。
【００２１】
また、冷媒液タンク１７と第１の蒸発器１５及び第２の蒸発器１６の間には、冷媒液比例制御手段を構成するキャピラリチューブ１３、１４と電磁弁１９、２０が設けてある。電磁弁１９、２０は、同じく冷媒液比例制御手段を構成する比例制御装置により開閉制御が行われる。比例制御装置としては、例えば、設定温度と吹出口温度の差を検出し、その温度差に応じて電磁弁１９、２０の開閉制御を行う方式が代表的である。
【００２２】
第１の蒸発器１５及び第２の蒸発器１６と圧縮機１１の間には、第１の蒸発器１５及び第２の蒸発器１６で蒸発した冷媒ガスを一時貯溜する冷媒ガスタンク１８が設けられている。冷媒ガスタンク１８の内部圧力は比較的低圧である。
【００２３】
第１の蒸発器１５及び第２の蒸発器１６は、空気調整室３０に設置されている。空気調整室３０は、主として除湿制御空気を作る除湿制御室３１と、主として冷却制御空気を作る冷却制御室３２に区画されている。除湿制御室３１には第１の蒸発器１５が、冷却制御室３２には第２の蒸発器１６がそれぞれ配置されている。
【００２４】
空気調整室３０には送気手段である送風機３３が設けられており、空気循環室４１側の空気が除湿制御室３１と冷却制御室３２に送られるようになっている。除湿制御室３１には、流入する空気の風量を制御する風量制御シャッター３４が設けられている。除湿制御室３１及び冷却制御室３２から放出された空気は、空気循環室４１側に送られるようになっており、これにより気密室４０の空気は、空気調整室３０と空気循環室４１間で循環する。
【００２５】
本実施の形態において、蒸発器１５への水や氷の付着量を調整することのできる制御手段は、例えば、キャピラリチューブ１３、１４や電磁弁１９、２０、除湿制御室３１に流入する空気の風量を制御する風量制御シャッター３４等が挙げられる。しかし、制御手段はこれらに限定するものではない。
【００２６】
なお、上記とは逆に送風機３３の吸込み側に第１の蒸発器１５及び第２の蒸発器１６等を配置すると、個別に温度調整と湿度調整が行われた空気を送風機３３で撹拌することができ、吹き出す空気の均一化を図ることができる。
【００２７】
また、符号３５は温度が低下しすぎたときに作動させる加温器であり、符号２１は圧縮機制御手段を構成する圧力センサーを示している。更に、符号２２は圧縮機１１の作動スイッチを示している。
【００２８】
（作　用）
図１を参照して、本実施の形態で示す気密室構造体Ｍ１の作用を説明する。
圧縮機１１は、冷媒ガスタンク１８に貯溜されていた冷媒ガスを吸い込んで圧縮した後、凝縮器１２に送り込む。凝縮器１２では高温・高圧になった冷媒ガスは液化し、この際放出される潜熱はファン（図示省略）により冷却される。液化された冷媒液は冷媒液タンク１７に貯溜される。
【００２９】
気密室４０の冷却除湿条件に合わせて電磁弁１９、２０が時間比例方式で開閉されると、冷媒液タンク１７から冷媒液が所要時間だけ第１の蒸発器１５または第２の蒸発器１６のいずれか一方または双方に送られ、空気調整室３０内において制御空気が作られる。第１の蒸発器１５と第２の蒸発器１６による気密室４０内の温度と湿度の制御方法については、後述する。
【００３０】
第１の蒸発器１５、第２の蒸発器１６に送られた冷媒液は蒸発して気化し、この際の気化熱で冷却コイル（蒸発器に含まれる）を冷却して冷媒ガスタンク１８に貯溜される。
【００３１】
冷媒ガスタンク１８内の圧力が所定の圧力（例えば、３ｋｇ／ｃｍ２）まで上昇すると、圧縮機制御手段を構成する圧力センサー２１がこれを感知して、圧縮機１１の作動スイッチ２２に信号を送り、圧縮機１１を作動させて冷媒ガスタンク１８から冷媒ガスを圧縮機１１に送り、これを圧縮した後、凝縮器１２に送り込む。また、冷媒ガスタンク１８内の圧力が所定の圧力（例えば、１ｋｇ／ｃｍ２）に低下すると送給を停止する。
なお、圧縮機１１を作動させる基準となる冷媒ガスの圧力値は、冷媒ガスタンク１８内の圧力値に限定するものではなく、冷凍機の回路構成によっては、低圧回路内（例えば、冷媒ガスタンク１８の前後の送給管内）の圧力値を代用することも可能である。
このように冷凍機１０は、上記サイクルを繰り返すことにより運転が行われる。
【００３２】
気密室４０内の温度と湿度の制御は、次のように行われる。
気密室構造体Ｍ１では、第１の蒸発器１５が設けてある除湿制御室３１と、第２の蒸発器１６が設けてある冷却制御室３２に、空気循環室４１側の空気をそれぞれ流通させて冷却除湿を行うようにしている。
【００３３】
詳しくは、冷却は、冷却制御室３２に流通させた空気循環室４１側の空気を第２の蒸発器１６と触れさせ、熱交換することにより行われる。冷却の制御は、主として冷却コイルの表面温度を露点温度よりも高くした状態（低くすることもある）で、風速を調整し、風量を多くしたり少なくしたりして行われる。例えば、風速を速くして風量を多くした場合では、空気が冷却コイル表面と接触する時間が短くなり、単位風量当りの熱交換量が小さくなるので、冷却コイルの周りを流通する空気の温度はそれほど低下しない。
【００３４】
また除湿は、除湿制御室３１に流通させた空気循環室４１側の空気を第１の蒸発器１５と触れさせ、熱交換により蒸発器１５の表面（冷却コイルの表面）に空気中に含まれる水蒸気を結露させて液体の状態で付着させたり、更に凍らせて固体の状態で氷（霜）として付着させたりして行われる。除湿の制御は、主として冷却コイルの表面温度を露点温度よりも低くした状態（高くすることもある）で、風速を調整し、風量を多くしたり少なくしたりして行われる。例えば、風量制御シャッター３４をやや閉じて空気の流れる風速を遅くし、風量を低下させた場合では、空気が冷却コイル表面と接触する時間が長くなり、単位風量当りの熱交換量が大きくなるので、冷却コイルの周りを流通する空気は温度が低下し易く、更に空気中に含まれる水蒸気は蒸発器１５の表面に結露し、これにより除湿が行われる。
【００３５】
湿度の調整は、蒸発器１５の表面に付着させる結露による水（液体）または氷（固体）の量を調整することで行われる。即ち、気密室４０が気密構造であり、空気中に含まれる水分量は一定で変動しない（もしくは実質的に変動しない）ので、蒸発器１５に付着する水や氷の量を多くすれば、空気循環室４１側の湿度は低下させることができ、逆に、蒸発器１５に付着する水や氷の量を少なくすれば、相対的に空気循環室４１側の湿度は上げることができる。
なお、付着する水や氷の量の調整は、風量制御シャッター３４による風速の制御や、電磁弁１９、２０の開閉により冷却コイル内を流通する冷媒ガスの流量の制御や、その双方の制御等によって行われる。
【００３６】
このように気密室構造体Ｍ１は、気密室４０を気密構造にして、蒸発器１５に付着する水や氷の量の調整によって湿度を調整するものであり、従来のものとは空気調和方法における湿度調整のメカニズムが異なる。従って、気密室構造体Ｍ１では、従来、必要とされていた乾式除湿機や加湿器等の装置が不要であり、この分装置の導入コストの低減を図ることができる。
【００３７】
また、気密室構造体Ｍ１は、乾式除湿機を使用しないので、従来のもののように温度が高くなった空気を冷却するというような無駄の多い温度制御も行わない。従って、運転にあたってのエネルギー消費量が少なくでき、これにより日々のランニングコストが低減できる。更には、冷凍機自体も能力の小さなものが使用可能である。
【００３８】
除湿制御室３１を流れる空気は、冷却制御室３２よりも風量が少なくなっているが、空気調整室３０の空気は空気循環室４１に放出されるときに、除湿制御室３１を流れる空気と冷却制御室３２を流れる空気とが混ざった状態になる。このため気密室４０における空気の循環は効率良く行われ、温度、湿度の分布を均一に安定させるための十分な風量が確保できる。
また、空気調整室３０では、除湿制御室３１に風量制御シャッター３４を設けて、冷却制御用と除湿制御用の空気を適宜割り振って調整できるようにしてあるので、精密な制御が可能である。
【００３９】
なお、本実施の形態で示す冷凍機１０は、蒸発器を二基備えたもの（二槽式）を示したが、これは限定するものではなく、例えば、蒸発器は図２に示すように一基（一槽式）のみ備えたものを使用することもできるし、三基以上備えたものを使用することもできる。蒸発器は、数が増すことにより精密な温度と湿度の調整がし易くなる。
【００４０】
図２は本発明に係る気密室構造体の第２の実施の形態を示す概略説明図である。なお、図２において、上記図１で示した箇所と同一または同等箇所には同一の符号を付して示している。また、図１で示したものと略同一の構成を有する箇所については図を省略し、異なる構成の箇所を主に示している。更に、構造についての説明も図１で示した箇所と重複する箇所は省略する。
【００４１】
符号Ｍ２は気密室構造体を示している。空気調整室３０には、加温器３５と、蒸発器１５と、送風機３３が設けられており、空気循環室４１側の空気は、送風機３３によって空気調整室３０に吸い込まれて、蒸発器１５と熱交換した後に加温器３５によって温度が調整されて、再び空気循環室４１側に送られるようになっている。
【００４２】
（作　用）
図２を参照して、本実施の形態で示す気密室構造体Ｍ２の作用を説明する。
なお、上記した気密室構造体Ｍ１と共通する構成により生じる同様の作用、効果については説明を省略し、相違する点についてのみ説明する。
【００４３】
気密室構造体Ｍ２では、蒸発器１５が設けてある空気調整室３０に空気循環室４１側の空気を流通させて冷却除湿を行うようにしている。詳しくは、空気調整室３０に吸い込んだ空気を蒸発器１５で熱交換して、空気中に含まれる水蒸気を蒸発器１５の表面（冷却コイルの表面）に結露させて液体の状態で付着させたり、更に凍らせて固体の状態で氷として付着させたりし、これと同時に上記熱交換によって空気の冷却も行うようにしている。
このようにして気密室構造体Ｍ２は、蒸発器１５が一基のみの場合でも温度と湿度の制御ができる。
なお、気密室構造体Ｍ２では、上記した気密室構造体Ｍ１と空気調整室３０内における空気の循環の向きが異なっているが、これは限定するものではない。
【００４４】
実施の形態で示す気密室構造体では、上記したように蒸発器の数が増すことにより精密な温度と湿度の調整をし易くすることができる。しかし、使用用途によっては、温度と湿度の精密な調整は必要なく、おおまかな調整で足りる場合も多い。従って、蒸発器を複数備えたものは必要なく、第２の実施の形態で示したような気密室構造体Ｍ２でも十分な効果を得ることができる場合では、蒸発器を複数備えたものより蒸発器の数が少なくなった分だけ導入にかかるコストを安価にすることができる。
【００４５】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【００４６】
【発明の効果】
本発明は上記構成を備え、次の効果を有する。
本発明に係る気密室内の空気調和方法及び気密室構造体によれば、気密室内の空気中に含まれる水分の量は一定で変動しない（もしくは実質的に変動しない）ので、気密室内の空気に含まれる水蒸気を空気調和機の蒸発器に水（液体）または氷（固体）の状態で付着させ、この水や氷の付着量を調整することにより、相対的に気密室内の湿度を調整することができる。つまり、蒸発器に付着する水または氷の量を多くすれば、気密室内の空気中の湿度を低下させることができ、逆に、蒸発器に付着する水または氷の量を少なくすれば、湿度を上げることができる。
このように本発明に係る気密室内の空気調和方法及び気密室構造体では、空気調和方法のメカニズムが従来のものとは異なっている。従って、本発明に係る方法及び構造体では、従来、必要とされていた乾式除湿機等の装置が不要であり、この分、装置の導入コストの低減を図ることができる。
また、本発明に係る気密室内の空気調和方法及び気密室構造体は、上記したように乾式除湿機を使用しないので、従来のもののように温度が高くなった空気を冷却することもない。従って、運転にあたってのエネルギー消費量が少なくでき、これにより日々のランニングコストが低減できる。更には、冷凍機自体も能力の小さなものが使用可能である。
【図面の簡単な説明】
【図１】本発明に係る気密室構造体の第１の実施の形態を示す概略説明図。
【図２】本発明に係る気密室構造体の第２の実施の形態を示す概略説明図。
【符号の説明】
Ｍ１，Ｍ２　気密室構造体
１０　冷凍機
１１　圧縮機
１２　凝縮器
１３　キャピラリチューブ
１５　蒸発器
１６　蒸発器
１７　冷媒液タンク
１８　冷媒ガスタンク
１９　電磁弁
２１　圧力センサー
２２　作動スイッチ
３０　空気調整室
３１　除湿制御室
３２　冷却制御室
３３　送風機
３４　風量制御シャッター
３５　加温器
４０　気密室
４１　空気循環室
【図１】
2004036915.tif 000003
【図２】
2004036915.tif 000004